(57)【要約】【課題】周波数変換器の提供。【解決手段】本発明の主な目的は、前述の課題を解決すべく、一次側巻線を水平に第一ボビンに巻き込むことにより、一次側巻線径の太さに拘らず、本発明周波数変換器の厚みに影響がないため、その一次側巻線の高さを有効に軽減できるほか、第一ボビンと第二ボビンを重なって、磁心の長さを短くできる。【選択図】図１
2007123708.tif 000002
【特許請求の範囲】
【請求項１】
磁心であって、少なくとも一つの共用端と少なくとも一つの個別端を突き出して設ける、上記磁心、
第一ボビンであって、前述の共用端に貫通され、第一ボビンはそれぞれの個別端の間に設け、第一ボビンに一次側巻線を設ける、上記第一ボビン、
少なくとも一つの第二磁心であって、第一磁心と組み合わせて、少なくとも一つの磁気閉回路を構成する、上記少なくとも一つの第二磁心、
少なくとも一つの第二ボビンであって、前述の第一ボビンと重なり、第二磁心に貫通され、その第二ボビンに二次側巻線を設け、その巻線方向が前述の一次側巻線方向と互いに垂直を呈する、上記少なくとも一つの第二ボビン、を包含することを特徴とする一種の周波数変換器。
【請求項２】
請求項１記載の周波数変換器において、第一磁心はI 形磁心構造であることを特徴とする周波数変換器。
【請求項３】
請求項１記載の周波数変換器において、第一磁心はT 形磁心構造であることを特徴とする周波数変換器。
【請求項４】
請求項１記載の周波数変換器において、第一磁心は四方形磁心構造であることを特徴とする周波数変換器。
【請求項５】
請求項１記載の周波数変換器において、第二磁心はI 形磁心構造であることを特徴とする周波数変換器。
【請求項６】
請求項１記載の周波数変換器において、第二磁心はT 形磁心構造であることを特徴とする周波数変換器。
【請求項７】
請求項１記載の周波数変換器において、第二ボビン上に仕切り板により、複数の巻線区域を仕切る構造であることを特徴とする周波数変換器。
【請求項８】
請求項１記載の周波数変換器において、第一磁心より延ばした収容部構造であることを特徴とする周波数変換器。
【請求項９】
請求項８記載の周波数変換器において、その収容部に個別端を固定する包容部を設ける構造であることを特徴とする周波数変換器。
【請求項１０】
請求項１記載の周波数変換器において、第一ボビンに複数の端子を設ける構造であることを特徴とする周波数変換器。
【請求項１１】
請求項１記載の周波数変換器において、第二ボビンに複数の端子を設ける構造であることを特徴とする周波数変換器。
【請求項１２】
請求項１１記載の周波数変換器において、その負荷は冷陰極管であることを特徴とする周波数変換器。
【発明の詳細な説明】
【技術分野】
【０００１】
本発明は一種の周波数変換器、特に一種の複数の高圧側を形成し、対応数量の冷陰極管使用に提供する周波数変換器側に関わる。
【背景技術】
【０００２】
公知の周波数変換器は、の磁心をボビンを通して設け、ボビン軸に同一または異なる線径の線を巻き込み、一次側巻線と二次側巻線を構成する。その磁心に一次側コイルと二次側コイルを巻き込んだ後、ケースによって包む。これにより、誘電コイルの周波数変換器を構成する。しかし、今日の液晶表示装置( ＬＣＤ) の背面光源モジュール( Ｂａｃｋ Ｌｉｇｈｔ  Ｍｏｄｕｌｅ) で使用する高機能とコンパクトな冷陰極管( ＣＣＦＬ) は、高圧電気により駆動の必要があるため、周波数変換器により、冷陰極管( ＣＣＦＬ) を発光させ、液晶表示装置( ＬＣＤ) の光源を形成する。
【０００３】
しかしながら、表示装置はますます大型化になり、複数の冷陰極管でその光源を駆動し、より良い表示効果が要求される中、単一の周波数変換器により、複数の冷陰極管に対応する需要ははますます高くなっている。特許文献１の発明は一つ公知の周波数変換器であり、その技術は一次側巻線区域に複数回の電線を巻き込みにより、より多くの磁束を生成した上、二次側に高圧を形成して、１本以上の冷陰極管を駆動する。その公知のコイルは中空管形状のボビンに巻き込で、２枚の仕切り板により、三つの区間を仕切る。三つの区間は両側に設ける一対の二次側巻線区域と中間部の一次側巻線区域である。
【０００４】
前述の公知技術から、高圧を生成するためには、一次側巻線区域の巻線数を増やす必要がある。しかし、一次側巻線区域両側の空間は一次側巻線区域に圧迫され、制限受けるため、上方向しか空間がない。残念ながら、上方向寸法を増やすことにより、電子回路板での装入に問題を引き起こす。さらに、周波数変換器の過熱課題も残る。一方、巻線による高温を降下させるため、一次側巻線区域巻線のボビン管径を大きくする方法がある。一次側巻線区域の空間が限られているため、巻線数を減少して対応する。しかし、逆に周波数変換器の出力に影響するため、取り付ける冷陰極管の数も限られる。
【０００５】
さらに、一次側巻線区域の長さを増やすことにより、巻線数を増やすとき、より長い磁心が必要である。しかし、磁心に安定品質がないとき、周波数変換器の機能に影響する。
【０００６】
【特許文献１】台湾特許公告２６７６０７号明細書
【発明の開示】
【発明が解決しようとする課題】
【０００７】
本発明の主な目的は、前述の課題を解決すべく、一次側巻線を水平に第一ボビンに巻き込むことにより、一次側巻線径の太さに拘らず、本発明周波数変換器の厚みに影響がないため、その一次側巻線の高さを有効に軽減できるほか、第一ボビンと第二ボビンを重なって、磁心の長さを短くできる。
【０００８】
本発明の周波数変換器は、磁心であって、少なくとも一つの共用端と少なくとも一つの個別端を突き出して設ける、上記磁心、
第一ボビンであって、前述の共用端に貫通され、第一ボビンはそれぞれの個別端の間に設け、第一ボビンに一次側巻線を設ける、上記第一ボビン、
少なくとも一つの第二磁心であって、第一磁心と組み合わせて、少なくとも一つの磁気閉回路を構成する、上記少なくとも一つの第二磁心、
少なくとも一つの第二ボビンであって、前述の第一ボビンと重なり、第二磁心に貫通され、その第二ボビンに二次側巻線を設け、その巻線方向が前述の一次側巻線方向と互いに垂直を呈する、上記少なくとも一つの第二ボビン、を包含することを特徴とする一種の周波数変換器とする。
【課題を解決するための手段】
【０００９】
請求項１の発明は、磁心であって、少なくとも一つの共用端と少なくとも一つの個別端を突き出して設ける、上記磁心、
第一ボビンであって、前述の共用端に貫通され、第一ボビンはそれぞれの個別端の間に設け、第一ボビンに一次側巻線を設ける、上記第一ボビン、
少なくとも一つの第二磁心であって、第一磁心と組み合わせて、少なくとも一つの磁気閉回路を構成する、上記少なくとも一つの第二磁心、
少なくとも一つの第二ボビンであって、前述の第一ボビンと重なり、第二磁心に貫通され、その第二ボビンに二次側巻線を設け、その巻線方向が前述の一次側巻線方向と互いに垂直を呈する、上記少なくとも一つの第二ボビン、を包含することを特徴とする一種の周波数変換器としている。
請求項２の発明は、請求項１記載の周波数変換器において、第一磁心はI 形磁心構造であることを特徴とする周波数変換器としている。
請求項３の発明は、請求項１記載の周波数変換器において、第一磁心はT 形磁心構造であることを特徴とする周波数変換器としている。
請求項４の発明は、請求項１記載の周波数変換器において、第一磁心は四方形磁心構造であることを特徴とする周波数変換器としている。
請求項５の発明は、請求項１記載の周波数変換器において、第二磁心はI 形磁心構造であることを特徴とする周波数変換器としている。
請求項６の発明は、請求項１記載の周波数変換器において、第二磁心はT 形磁心構造であることを特徴とする周波数変換器としている。
請求項７の発明は、請求項１記載の周波数変換器において、第二ボビン上に仕切り板により、複数の巻線区域を仕切る構造であることを特徴とする周波数変換器としている。
請求項８の発明は、請求項１記載の周波数変換器において、第一磁心より延ばした収容部構造であることを特徴とする周波数変換器としている。
請求項９の発明は、請求項８記載の周波数変換器において、その収容部に個別端を固定する包容部を設ける構造であることを特徴とする周波数変換器としている。
請求項１０の発明は、請求項１記載の周波数変換器において、第一ボビンに複数の端子を設ける構造であることを特徴とする周波数変換器としている。
請求項１１の発明は、請求項１記載の周波数変換器において、第二ボビンに複数の端子を設ける構造であることを特徴とする周波数変換器としている。
請求項１２の発明は、請求項１１記載の周波数変換器において、その負荷は冷陰極管であることを特徴とする周波数変換器としている。
【発明の効果】
【００１０】
本発明の次の目的は、第二ボビン上に仕切り板により、複数の巻線区域を形成して、第二ボビン上に多く巻き込んだ後、外れるかまたは火花の形成を防止できる。
【発明を実施するための最良の形態】
【００１１】
本発明の詳細説明および技術内容は、図式と併せて以下のとおり説明する。
図１、図２に示すものは、本発明の好ましい実施例の周波数変換器であり、
主に、第一磁心３１、この第一磁心３１は一つ以上の個別端３２と共用端３３を突き出して設け、その共用端は第一ボビン１１の貫通孔１６に貫通する。前述の第一ボビン１１は第一磁心３１の個別端３２の間に設け、その第一ボビン１１より延ばして、収容部１５を設け、その収容部１５に第一磁心３１の個別端３２を固定する包容部１４を設ける。
【００１２】
図３、図４に示すものは、本発明の好ましい実施例における第一ボビンと一次側巻線概略図と本発明の断面概略図である。前述の第一ボビン１１に複数の端子１３を設け、第一ボビン１１は独立の集線場所１７を提供し、一次側巻線１２の空間を増やす。この一次側巻線１２はまずこの端子１３の一端より巻いてから、第一ボビン１１上の集線場所１７に引き続き巻き込み、終点は端子１３の他端に巻き込む；そのうち、第一磁心３１の共用端３３はその集線場所１７を貫通して、第二磁心３４に接続する。その第二磁心３４は第一磁心３１の共用端３３と包容部１４で接続し、第一磁心３１と第二磁心３４組合せにより、少なくとも一つの図４に示す磁気閉回路３６を構成する。
【００１３】
さらに、図２、図４に示すとおり、前述の第二磁心３４は少なくとも一つの第二ボビン２１を貫通し、第二ボビン２１は前述の第一ボビン１１の収容部１５に覆われ、第二ボビン２１は仕切り板２３より、複数の巻線区域３５を仕切っておく、この巻線区域３５は二次側巻線２４が区に分けて巻き込み、一次側巻線２４が第二ボビン２１に複数回巻き込み後のゆるみや火花の形成などを防止する。その第二ボビン２１は電気出力するため、複数の端子２２を設け、二次側巻線２４の巻線方向は前述の一次側巻線１２の巻線方向と互いに垂直する。
【００１４】
前述の第二ボビン１１と第二ボビン２１は前述の第一磁心３１と第二磁心３４との組合せにより、磁気閉回路３６を構成する。本実施例において、第一磁心３１は第一ボビン１１の形態に従い、Ｉ形磁心で有っても良い。
【００１５】
図５に示すものは、本発明第二実施例の分解概略図である。本実施例の第一磁心３１は第一ボビン１１の形態に従い、T 形磁心で有っても良い。このT 形磁心三つの個別端３２第二磁心３４に接続し、三つの包容部１４に取り付ける。さらに、そのT 形磁心共用端３３は第一ボビン１１と貫通し、第二磁心３４に接続する。その第二磁心３４は三つの第二ボビン２１の形態に従い、Ｔ形磁心構造とする。
【００１６】
図６に示すものは、本発明第三実施例の分解概略図である。本実施例の第一磁心３１は第一ボビン１１の形態に従い、四方形磁心で有っても良い。この四方形磁心四つの個別端３２は第二磁心３４に接続し、四つの包容部１４に取り付ける。さらに、その四方形磁心二つの共用端３３は第一ボビン１１と貫通し、第二磁心３４に接続する。そのうち、第二ボビン３４は四つの第二ボビン２１の形態に従い、二つのＩ形磁心構造とする。
【図面の簡単な説明】
【００１７】
【図１】本発明好ましい実施例における立面概略図である。
【図２】本発明好ましい実施例における立面分解概略図である。
【図３】本発明好ましい実施例における第一ボビンと一次側巻線の概略図である。
【図４】本発明好ましい実施例における断面概略図である。
【図５】本発明第二の好ましい実施例における分解概略図である。
【図６】本発明第三の好ましい実施例における分解概略図である。
【符号の説明】
【００１８】
１１  第一ボビン
１２  一次側巻線
１３  端子
１４  包容部
１５  収容部
１６  貫通孔
１７  集線場所
２１  第二ボビン
２２  端子
２３  仕切り板
２４  二次側巻線
３１  第一磁心
３２  個別端
３３  共用端
３４  第二磁心
３５  巻線区域
３６  磁気閉回路
【図１】
2007123708.tif 000003
【図２】
2007123708.tif 000004
【図３】
2007123708.tif 000005
【図４】
2007123708.tif 000006
【図５】
2007123708.tif 000007
【図６】
2007123708.tif 000008